(57)【要約】【課題】本発明は、簡単に現場の降雪状況に適した融雪信号を出力させることができる降雪センサ装置を提供する。【解決手段】本発明の降雪センサ装置は、降雪現象が生じているときに操作するための操作ボタン１３ａを設け、同操作ボタン１３ａが操作されると、降雪センサ５を通じて、その時点の気温を降雪時の温度として記憶するとともに、予め定められた計測時間当たりの雪片Ａ数を降雪時の雪片カウント数として記憶し、通常の降雪センサ５による降雪現象の検出の際、降雪センサ５で検出した気温が降雪時温度より低く、かつ降雪センサ５で検出した一定時間当たりの雪片数が降雪時雪片カウント数に達したとき、降雪を示す降雪信号を出力する構成を採用した。これにより、降雪状況を設定する作業が簡単ですむようになる。【選択図】      図５
2005213755.tif 000002
【特許請求の範囲】
【請求項１】
気温と雪片が検出可能な降雪センサを用い、降雪現象が生ずる場所の気温の計測と一定時間当たりの雪片数の計数とから降雪現象を検出する降雪センサ装置であって、
降雪現象が生じているときに操作するための設定用操作部と、
前記設定用操作部の操作が行われると、前記降雪センサを通じて、その時点の気温を降雪時の温度として記憶するとともに、予め定められた計測時間当たりの雪片数を降雪時の雪片カウント数として記憶する記憶手段と、
通常の前記降雪センサによる降雪現象の検出時、前記降雪センサからの気温が前記降雪時温度より低く、かつ一定時間当たりの雪片数が前記降雪時雪片カウント数に達したとき、降雪を示す降雪信号を出力する制御手段と
を具備することを特徴とする降雪センサ装置。
【請求項２】
気温と雪片が検出可能な降雪センサを用い、降雪現象が生ずる場所の気温の計測と一定時間当たりの雪片数の計数とから降雪現象を検出する降雪センサ装置であって、
降雪現象が生じているときに操作するための設定用操作部と、
前記設定用操作部の操作が行われると、前記降雪センサを通じて、その時点の気温に一定の差温加算した演算値を降雪時の温度として記憶するとともに、予め定められた計測時間当たりの雪片Ａ数から一定の雪片数を減算した演算値を降雪時の雪片カウント数として記憶する記憶手段と、
通常の前記降雪センサによる降雪現象の検出時、前記降雪センサからの気温が前記降雪時温度より低く、かつ一定時間当たりの雪片数が前記降雪時雪片カウント数に達したとき、降雪を示す降雪信号を出力する制御手段と
を具備することを特徴とする降雪センサ装置。
【請求項３】
前記記憶手段は、さらに、前記降雪時温度に一定の差温を加算した演算値を降雪が停止する降雪停止時温度として記憶するとともに、前記降雪時雪片カウント数から一定の雪片数を減算した演算値を降雪が停止する降雪停止時雪片カウント数として記憶するように構成され、
前記制御手段は、さらに、前記降雪センサからの気温が前記降雪停止時温度より高い、あるいは一定時間当たりの雪片数が前記降雪停止時雪片カウント数以下となるとき、前記降雪信号の出力を停止するように構成される
ことを特徴とする請求項１または請求項２に記載の降雪センサ装置。
【請求項４】
前記制御手段は、融雪装置の直接的な制御が可能な制御信号が出力される構成としてあることを特徴とする請求項１〜請求項３のいずれか一つに記載の降雪センサ装置。
【請求項５】
前記制御手段は、複数種の融雪装置の制御が可能な複数の制御信号が出力される構成としてあることを特徴とする請求項４に記載の降雪センサ装置。
【請求項６】
前記制御手段は、さらに、前記流体式融雪装置の凍結を防ぐための加温機器用の制御信号が出力される構成としてあることを特徴とする請求項１〜請求項３のいずれか一つに記載の降雪センサ装置。
【請求項７】
前記制御手段は、さらに、前記流体式融雪装置を夏期時に利用するための制御信号が出力される構成としてあることを特徴とする請求項１〜請求項３のいずれか一つに記載の降雪センサ装置。
【発明の詳細な説明】
【技術分野】
【０００１】
本発明は、降雪現象を検出する降雪センサ装置に関する。
【背景技術】
【０００２】
積雪が多く見られる地方では、散水式の融雪装置などを用いて、生活に必要な道路や歩道などを雪害から守ることが行われている。
【０００３】
こうした融雪装置の運転管理は面倒であるので、近時では、降雪を検出する降雪センサを用いて、積雪をもたらす降雪現象が生じたとき、自動で融雪装置を運転させる技術が進められている。
【０００４】
こうした機器の制御に用いられる降雪センサには、コスト的に安価、検出精度が高い、検出不能になる事故がほとんど見られないという利点から、温度センサによる気温の検出と、拡散反射式光電センサによる一定時間当たりの雪片数の計数とを併用して、降雪現象を検出する構造が用いられる。
【０００５】
ところで、気温と雪片数とを併用した降雪センサを用いて、正確に降雪現象を検出させるためには、誤動作の要因となる雨やあられと識別する温度設定や積雪が始まると思われる雪片カウント数の設定をすることが求められる。
【０００６】
そのため、従来の降雪センサでは、気温を調整したり、雪片数を調整したりする手動操作調整部を備えた構成を用いて、必要な温度設定や雪片カウント数の入力が行えるようにしている。
【発明の開示】
【発明が解決しようとする課題】
【０００７】
ところが、従来の降雪センサは、使用者が、降雪センサを据え付けた現場で、現場の状況を考慮しながら、手動調整で、その都度、積雪をもたらすと思われる気温に温度調整したり、積雪をもたらすと思われる雪片数に設定していた。このため、かなり設定作業は煩しいという問題がある。
【０００８】
そこで、本発明の目的は、簡単に現場の降雪状況に適した融雪信号を出力させることができる降雪センサ装置を提供することにある。
【課題を解決するための手段】
【０００９】
請求項１に記載の発明は、上記目的を達成するために、降雪現象が生じているときに操作するための設定用操作部を設け、設定用操作部の操作が行われると、降雪センサを通じて、その時点の気温を降雪時の温度として記憶するとともに、予め定められた計測時間当たりの雪片数を降雪時の雪片カウント数として記憶する記憶手段を設け、通常の降雪センサによる降雪現象の検出時、降雪センサからの気温が降雪時温度より低く、かつ一定時間当たりの雪片数が降雪時雪片カウント数に達したとき、降雪を示す降雪信号を出力する制御手段を設ける構成を採用した。
【００１０】
請求項２に記載の発明は、同じく、降雪現象が生じているときに操作するための設定用操作部を設け、設定用操作部の操作が行われると、降雪センサを通じて、その時点の気温に一定の差温加算した演算値を降雪時の温度として記憶するとともに、予め定められた計測時間当たりの雪片数から一定の雪片数を減算した演算値を降雪時の雪片カウント数として記憶する記憶手段を設け、通常の降雪センサによる降雪現象の検出時、降雪センサからの気温が降雪時温度より低く、かつ一定時間当たりの雪片数が降雪時雪カウント数に達したとき、降雪を示す降雪信号を出力する制御手段を設ける構成を採用した。
【００１１】
請求項３に記載の発明は、上記目的に加え、さらに適切なヒステリシスで融雪信号の出力停止が行えるよう、記憶手段には、降雪時温度に一定の差温を加算した演算値を降雪が停止する降雪停止時温度として記憶するとともに、降雪時雪片カウント数から一定の雪片数を減算した演算値を降雪が停止する降雪停止時雪片カウント数として記憶する構成を採用し、制御手段には、降雪センサからの気温が降雪停止時温度より高い、あるいは一定時間当たりの雪片数が降雪停止時雪片カウント数以下となるとき、降雪信号の出力を停止する構成を採用した。
【００１２】
請求項４に記載の発明は、上記目的に加え、さらに降雪センサ装置からの出力で直接、融雪装置の制御が行えるよう、制御手段からは、降雪信号として、液体式融雪装置の直接的な制御が可能な制御信号が出力される構成とした。
【００１３】
請求項５に記載の発明は、上記目的に加え、異なる融雪の仕方を用いた種々の融雪装置に対応できるよう、制御手段からは複数の制御信号が出力される構成とした。
【００１４】
請求項６に記載の発明は、上記目的に加え、併せて融雪装置の機器の凍結が防げるよう、制御手段からは、さらに流体式融雪装置の凍結を防ぐための加温機器用の制御信号が出力される構成とした。
【００１５】
請求項７に記載の発明は、上記目的に加え、流体式融雪装置が他の時期（季節）でも利用できるよう、制御手段からは、さらに流体式融雪装置を夏期時に利用するための制御信号が出力される構成とした。
【発明の効果】
【００１６】
請求項１に記載の発明によれば、設定用操作部を操作し、通常時の降雪センサによる降雪現象の検出へ移行させるだけで、自動的に記憶した現場の降雪時の気温、雪片数にしたがって降雪信号が出力される。
【００１７】
したがって、従来のような現場の状況を考えながら気温や雪片数をそれぞれ設定するような面倒な作業を必要とせずに、適切に降雪信号を出力させることができ、簡単に降雪センサ装置から、現場の降雪状況に適した融雪信号を出力させることができる。
【００１８】
請求項２に記載の発明によれば、上記効果に加え、積雪が始まるよりも早めに融雪信号が出力されることで、十分に融雪装置を発揮させることができるといった効果を奏する。
【００１９】
請求項３に記載の発明によれば、上記効果に加え、適切なヒステリシスのもとで融雪信号の停止が行われ、融雪装置の頻繁な起動・停止を抑えることができるといった効果を奏する。
【００２０】
請求項４に記載の発明によれば、上記効果に加え、降雪信号により、融雪装置の運転を、直接、制御することができるといった効果を奏する。
【００２１】
請求項５に記載の発明によれば、上記効果に加え、同一の降雪センサ装置で、種々の融雪装置による融雪が可能となり、種々の融雪に対応できるといった効果を奏する。
【００２２】
請求項６に記載の発明によれば、上記効果に加え、降雪センサ装置を活用して、融雪装置の機器の凍結を防ぐ制御も可能となるといった効果を奏する。
【００２３】
請求項７に記載の発明によれば、上記効果に加え、降雪センサ装置を活用して、融雪装置を、冬期時だけでなく、他の時期（季節）にも利用することが可能になるといった効果を奏する。
【発明を実施するための最良の形態】
【００２４】
［第１の実施形態］
以下、本発明を図１〜図６に示す第１の実施形態にもとづいて説明する。
【００２５】
図１は、降雪センサ装置の全体の構成を示していて、図中１は、例えば積雪が多い地域に設置されている電信柱、２は、同電信柱１に例えばバンド３で横方向に張り出すように取付けられた例えば中空なアーム部材（センサ支持用）、４は、同アーム部材２の先端部に取付けられたフードを示す。フード４は、アーム部材２の前方だけを開口させたフード部材で形成されている。
【００２６】
例えばフード４を含むアーム部材２の先端部には降雪センサ５が設けられている。降雪センサ５は、例えばフード４の下部から突き出るセンサホルダ６に取付けられた気温検出のための温度センサ７と、アーム部材２の先端部に取付けられた光電センサ、例えば拡散反射式光電センサ８とを用いて構成されている。さらに述べれば拡散反射式光電センサ８は、例えばフード前方を投光する投光部８ａと、フード前方から入射する投光部８ａからの反射光を受光する受光部８ｂとを組み合わせて構成されている。これにより、降雪センサ５は、降雪現象を検出するべく、降雪現場の気温が温度センサ７により検出され、降雪現場の雪片Ａがフード前方から受光部８ａへ入力する反射光の有無により検出される構造にしてある。
【００２７】
１０は、降雪センサ５とは別の場所、例えば融雪管理を行いやすい場所に設置された制御盤を示す。この制御盤１０と降雪センサ５との組み合わせから、降雪センサ装置９の主たる部分を構成している。
【００２８】
制御盤１０は、入力ポート部１１ａ，２箇所（複数）の出力ポート１１ｂが形成されたケーシング１１をもつ。ケーシング１１の例えば前面には操作パネル１２が設けられている。この操作パネル１２には、複数の操作ボタン、例えば初期設定用の操作ボタン１３ａ（本願の設定用操作部に相当）、冬期時運転起動・停止用の操作ボタン１３ｂ、夏期運転起動・停止用の操作ボタン１３ｃが設けられている。なお、操作ボタン１３ａは、降雪現象により積雪が始まり融雪が必要であると判断したときに操作する専用ボタンである。
【００２９】
またケーシング１１内には制御部１４（本願の制御手段に相当）が、メモリで構成される記憶部１４ａ（本願の記憶手段に相当）と共に収められている。この制御部１４の入力側が、入力ポート部１１ａを介して、電信柱１に伝わらせているセンサケーブル１５に接続されている。残るセンサケーブル１４の他方の端部は、アーム部材２の中空部を通り、アーム部材２の先端部まで延びて、降雪センサ５（温度センサ７、受光部８ｂ）に接続されていて、降雪センサ５からの気温情報、雪片数情報が制御部１４へ入力されるようにしてある。
【００３０】
制御部１４は、例えば用途別、具体的には図２に示されるように例えば冬期融雪用制御部１７、機器凍結防止用制御部１８、夏期散水用制御部１９に分けてある。このうち冬期融雪用制御部１７には、現場で融雪が必要とされる降雪現象の状況を設定する機能として、
・操作ボタン１３ａが、積雪が始まり融雪が必要と判断したときに押されると、その時点の気温、すなわち温度センサ７で検出される温度を降雪時の温度（降雪時温度）、すなわち運転開始用の閾値として、記憶部１４ａに記憶させる機能。
【００３１】
・同降雪時温度の記憶と共に、受光部８ｂで検出される雪片Ａにしたがい、予め定めた計測時間、例えば１分当たりの雪片数を計数して、計数結果を降雪時の雪片カウント数、すなわち運転開始用の閾値として、記憶部１４ａに記憶させる機能。
【００３２】
・上記降雪時温度に一定の差温を加算した演算値を、運転停止用の閾値となる降雪停止時温度として、記憶部１４ａに記憶させる機能。
【００３３】
・上記降雪時雪片カウント数から一定の雪片数を減算した演算値を、運転停止用の閾値となる降雪停止時カウントとして、記憶部１４ａに記憶させる機能。
【００３４】
などが設定されている。
【００３５】
また通常の降雪現象の検出を行う設定として（通常運転時）、
・操作ボタン１３ｂが操作（起動）されると、温度センサ７で検出される気温を計測するとともに、受光部８ｂで検出される雪片Ａにしたがい一定時間、例えば１分当たりの雪片量を計数する機能。
【００３６】
・計測された気温が降雪時温度以下で、計数された雪片量が降雪時雪片カウント数以上のとき、降雪を示す降雪信号を各出力ポート部１１ｂへ出力させる機能。
【００３７】
・この降雪信号を出力中、計測された気温が降雪停止温度以上、あるいは計数された雪片量が降雪停止時カウント数以下になると、降雪信号を停止させる機能。
【００３８】
などが設定されている。
【００３９】
また複数の出力ポート部１１ｂは、異なる融雪の仕方で融雪する融雪装置、ここでは２種類（複数）の融雪装置２１，２２へ直接、それぞれ降雪信号（制御信号）が出力できる構成となっている。例えば図１中に示されるような融雪ポンプ２１ａの運転（起動）により例えば地下水を揚水して融雪用水として用いる構造の散水式融雪装置２１の場合、融雪ポンプ２１ａが主たる制御機器となる。また例えば図１中に示されるように一般給水用配管から分岐して給水を融雪用水として用いる構造の散水式融雪装置２２の場合、ポンプがないので、電動弁や電磁弁２２ａ（一方しか図示せず）が主な制御機器となる。そのため、どちらの融雪装置２１，２２でも使用できるよう、一方の出力ポート部１１ｂは、融雪ポンプ２１ａが直接、制御可能なポンプ制御用の出力としてあり、他方の出力ポート部１１ｂは、電動弁や電磁弁２２が直接、制御可能な弁制御の出力としてある。
【００４０】
このうちの一方の出力ポート部１１ｂに、コントロールケーブル２４ａを介して、上記散水式融雪装置２１が接続され、他方の出力ポート部１１ｂにコントロールケーブル２４ｂを介して、上記散水式融雪装置２２が接続されている。これにより、制御盤１０から出力される降雪信号にしたがい、融雪対象となる場所、例えば道路２５上の雪が融雪されるようにしている。
【００４１】
また例えば一方の出力ポート部１１ｂからは、機器凍結防止用制御部１８の凍結防止用の制御信号も出力される構造にしてある。ここで、融雪ポンプ２１ａに組付けてある加温機器、例えばポンプ凍結用ヒータ部２１ｂは、コントロールケーブル２４ａを通じて、一方の出力ポート部１１ｂに接続される構造をなしていて、一方の出力ポート部１１ｂから出力される凍結防止用の制御信号で制御されるようにしてある。詳しくは、機器凍結防止用制御部１８からは、例えば図３に示されるように予め定めた気温、例えば３℃以下になると、ヒータ通電を行う信号が出力され、上記気温に一定の差温を加算した温度、例えば４℃以上になるとヒータ通電を停止させる制御信号が出力されるようになっていて、同出力から機器の凍結が回避されるようにしてある。
【００４２】
また例えば一方の出力ポート部１１ｂからは、融雪装置２１を冬期だけでなく他の時期（季節）、例えば夏期時にも利用する制御信号が出力されるようにしている。この制御信号は、操作ボタン１３ｃ、夏期散水用制御部１９を用いて、出力されるようにしてある。具体的には、夏期散水用制御部１９には、例えば図４に示されるように予め定めた気温、例えば３０℃以上になると、融雪ポンプ２１ａを起動させて（融雪装置２１の運転）、上記温度に一定の差温を減算した温度、例えば２８℃以下になると、融雪ポンプ２１ａの運転を停止（融雪装置２１の停止）させる夏期散水用モードが設定されている。また夏期散水用制御部１９には、操作パネル１２の操作ボタン１９ｃが操作されると、夏期散水モードが実行される設定がなされていて、必要なときに散水モードが実行されるようにしてある。
【００４３】
このように構成された降雪センサ装置９の作用について説明する。
【００４４】
今、降雪センサ装置９に対して、いつ融雪装置２１，２２を運転させるかの設定を行うとする。これは、融雪装置２１，２２を起動すべきと判断した時期に降雪状態を入力する作業である。
【００４５】
この設定を行うときは、近くに関連付けて配置してある融雪装置２１，２２および風雪センサ５が設置してある場所で、積雪が始まるときを利用して行う。
【００４６】
具体的には、設定の仕方としては、降雪現象により降雪が始まり、融雪装置２１，２２を起動すべきと判断した時期に、制御盤１０にある初期設定用操作ボタン１３ａを押す（オン操作）。すると、図５に示される「降雪時状況記憶」のフローチャートにしたがって設定作業が進む。
【００４７】
すなわち、冬期融雪用制御部１７は、操作ボタン１３ａが操作されると（ステップＳ１）、その操作信号をトリガーとして、降雪センサ５の温度センサ７で検出される気温を計測して、その判断した時点の気温を降雪時の温度（降雪時温度）として記憶部１４ａに記憶させる（ステップＳ２）。さらに当該降雪時温度に一定の差温を加算した演算値を、停止用の温度（降雪停止時温度）として記憶部１４ａに記憶させる（ステップＳ３）。
【００４８】
同じく冬期融雪用制御部１７は、操作ボタン１３ａが操作されると、降雪センサ５の拡散反射式光電センサ８で検出される雪片Ａをもとに、予め定めた計測時間、例えば１分当たりの雪片数を計数してそのカウント数を、降雪時の雪片カウント数（降雪時カウント数）として記憶部１４ａに記憶させる（ステップＳ４）。さらに当該降雪時雪片カウント数から一定の雪片数を減算した演算値を、停止用の雪片カウント数（降雪停止時雪片カウント数）として記憶部１４ａに記憶させる（ステップＳ５）。
【００４９】
これにより、必要な当初の降雪時の状況を設定する作業が終わる。
【００５０】
一方、降雪時、融雪装置２１，２２を通常に運転させるときは、設定後、制御盤１０にある冬期時運転起動・停止用操作ボタン１３ｂを押す。すると、図６に示される「通常運転時」のフローチャートのように、出力ポート部１１ｂ、１１ｂから出力される降雪信号（ポンプ制御用信号、弁制御用信号）により、融雪装置２１，２２が運転される。
【００５１】
すなわち、冬期融雪用制御部１７は、操作ボタン１３ｂの操作に伴い、降雪センサ５の温度センサ７で検出される気温を計測し、拡散反射式光電センサ８で検出される雪片Ａをもとに一定時間当たり、例えば１分当たりの雪片数を計数している。
【００５２】
このとき、温度センサ７で検出される気温が、記憶部１４ａに記憶されている降雪時温度値より低く（ステップＳ１１）、一定時間当たりの雪片数が、記憶部１４ａに記憶されている降雪時雪片カウント数値に達すると（ステップＳ１２）、制御盤１０の各出力ポート部１１ｂ、１１ｂへ降雪信号が出力される。この降雪信号が、融雪ポンプ２１ａを用いた融雪装置２１へは、融雪ポンプ２１ａを、直接、起動する信号（オン信号）として出力され、一般給水用配管の給水を融雪用水として使用する融雪装置２２へは、配管に介装してある電動弁や電磁弁２２ａを、直接、開作動させる信号（オン信号）として出力される（ステップＳ１３）。これにより、各融雪装置２１，２２からの融雪用水が配管２６（図１のみ図示）を通じて、道路２５上に散水され、道路２５上の積雪を融かす。
【００５３】
また温度センサ７で検出される気温が、記憶部１４ａに記憶されている降雪停止時温度値より高くなるか（ステップＳ１４）、または一定時間当たりの雪片数が、記憶部１４ａに記憶されている降雪停止時雪片カウント数値以下になると（ステップＳ１５）、降雪信号（ポンプ用制御信号、弁制御用信号）の出力が停止する。この停止がもたらす信号（オフ信号）により、各融雪装置２１，２２の運転が停止し、融雪が必要とされるまで待機する。
【００５４】
このように降雪センサ装置９は、操作ボタン１３ａを操作し、通常時の降雪現象の検出へ移行させるだけで、自動的に現場の降雪時の気温、雪片数にしたがって降雪信号を出力させることができる。このことは、降雪現象の検出に際し、従来のような現場の状況を考えながら気温や雪片Ａ数をそれぞれ設定するような面倒な作業を必要とせずにすむうえ、さらに降雪状況に最も適した気温や雪片数を基準に降雪信号を出力させることができる。
【００５５】
したがって、降雪センサ装置９からは、簡単に現場の降雪状況に適した融雪信号を出力させることができる。しかも、降雪信号は、融雪装置２１，２２の制御が可能な制御信号なので、同信号により、直接、融雪装置２１，２２を制御することができる。そのうえ、制御盤１０からは複数の降雪信号が出力されるようにしてあるから、同一の降雪センサ装置９で、複数種の融雪装置２１，２２を制御することができ、異なる方式の融雪装置による融雪が可能となる。特に降雪信号の出力停止には、降雪時温度や降雪時雪片カウント数に対して、ある程度のヒステリシスを設定した降雪停止時温度（降雪時温度に一定の差温を加算した温度値）、降雪停止時雪片カウント数（降雪時雪片カウント数から一定の雪片数を減算したカウント数値）を用いたので、融雪装置２１，２２が頻繁に起動・停止することはない。
【００５６】
さらに制御盤１０からは、融雪装置２１、２２の凍結しやすい機器、ここでは融雪ポンプ２１ａの凍結を防ぐポンプ凍結用ヒータ部２１ｂを制御（例えば３℃以下でオン、４℃を超えるとオフする制御）する制御信号が出力されるようにしてあるから、融雪装置２１の凍結しやすい機器の凍結を防ぐことも併せてできる利点がある。
【００５７】
また制御盤１０からは、融雪装置２１を夏期時に利用する制御（例えば３０℃以上でオン、２８℃を下回るとオフする制御）が出力されるようにしてあるから、真夏などでは、融雪ポンプ２１ａの運転により、地下水（井戸水など）の散水が行われて、散水に伴う蒸散冷却効果により、快適な環境を作り出すことができるという利点もある。
【００５８】
［第２の実施形態］
図７は、本発明の第２の実施形態を示す。本実施形態は、上述した第１の実施形態の変形例で、通常の運転時に、積雪が始まるよりも早めに融雪装置２１，２２の運転を行えるよう、記憶部１４ａに記憶される降雪時温度、降雪時雪片カウント数を補正したものである。
【００５９】
具体的には、降雪時温度には、図７中のステップＳ６に示されるように温度センサ７で計測した気温に一定の差温を加算した演算値を用い、降雪時雪片カウント数には、図７中のステップＳ７に示されるように拡散反射式光電センサ８で計数した、予め定めた計測時間当たりの雪片数から、一定の雪片数を減算した演算値を用いる。そして、通常の運転時、これら降雪時温度、降雪時雪片カウント数を用いて、第１の実施形態と同様、気温が降雪時温度より低く、かつ一定時間当たりの雪片数が降雪時雪片カウント数以上となるとき、降雪信号を出力することにより、積雪が始まるより早めに融雪装置２１，２２を運転させることができるようにしたものである。
【００６０】
むろん、降雪停止時温度、降雪時停止雪片カウント数は（ステップＳ３，Ｓ５）、第１の実施形態と同様、ある程度のヒステリシスを設定してあるので、融雪装置２１，２２が頻繁に起動・停止を繰り返すことはない。
【００６１】
但し、第２の実施形態において、図７のフローチャート以外は、第１の実施形態と同じなので、説明を省略した。
【００６２】
なお、本発明は上述した実施形態に限定されるものではなく、本発明の主旨を逸脱しない範囲内で種々変更して実施しても構わない。例えば上述した実施形態は、いずれも設定用ボタンと通常運転時とを分けた構造の例を挙げているが、これに限らず、他の構造でもよいことはいうまでもない。
【図面の簡単な説明】
【００６３】
【図１】は本発明の第１の実施形態に係る降雪センサ装置を、同装置を設置している構造、同装置で制御される融雪装置の一部と共に示す図。
【図２】同降雪センサ装置の制御系を示すブロック図。
【図３】同制御系の凍結防止用ヒータの制御内容を示す線図。
【図４】同制御系の夏期散水時の制御内容を示す線図。
【図５】降雪時の状況を設定する制御を示すフローチャート。
【図６】通常運転時の制御を示すフローチャート。
【図７】本発明の第２の実施形態の要部の制御内容を示すフローチャート。
【符号の説明】
【００６４】
５…降雪センサ、７…温度センサ、８…拡散反射式光電センサ、９…降雪センサ装置、１４…制御部（制御手段）、１３ａ…操作ボタン（設定用操作部）、１４ａ…記憶部（記憶手段）、２１，２２…融雪装置、Ａ…雪片。
【図１】
2005213755.tif 000003
【図２】
2005213755.tif 000004
【図３】
2005213755.tif 000005
【図４】
2005213755.tif 000006
【図５】
2005213755.tif 000007
【図６】
2005213755.tif 000008
【図７】
2005213755.tif 000009